(57)【要約】【課題】輝度差を生じにくくすることができる面状照明装置を提供すること。【解決手段】実施形態に係る面状照明装置は、導光板と、減衰部と、複数の光源とを備える。導光板は、光が出射する主面である出射面と、出射面と交差する側面であって光が入射する入光側面とを有する。減衰部は、入光側面から入射した光を減衰する。複数の光源は、導光板の入光側面に対向して所定の間隔で並列され、減衰部に近い側の間隔が減衰部から遠い側の間隔よりも狭い。【選択図】図１
2019096394.tif 000002
【特許請求の範囲】
【請求項１】
光が出射する主面である出射面と、前記出射面と交差する側面であって前記光が入射する入光側面とを有する導光板と、
前記入光側面から入射した前記光を減衰する減衰部と、
前記導光板の前記入光側面に対向して所定の間隔で並列され、前記減衰部に近い側の前記間隔が前記減衰部から遠い側の前記間隔よりも狭い複数の光源と
を備える面状照明装置。
【請求項２】
前記導光板は、
前記出射面および前記入光側面それぞれと交差する２つの交差側面を有し、
前記減衰部は、
前記２つの交差側面のうち少なくとも一方の前記交差側面、または、当該交差側面の近傍に設けられる、
請求項１に記載の面状照明装置。
【請求項３】
前記減衰部は、
前記２つの交差側面のうち、少なくとも一方の前記交差側面から突出する突出部である、
請求項２に記載の面状照明装置。
【請求項４】
前記入光側面とは反対側の側面である反対面の一部から突出する突出部をさらに備え、
前記減衰部は、
前記突出部が設けられる一部の前記反対面以外の前記反対面である、
請求項２に記載の面状照明装置。
【請求項５】
前記減衰部は、
前記２つの交差側面のうち、少なくとも一方の前記交差側面側の前記出射面に設けられる、
請求項２〜４のいずれか１つに記載の面状照明装置。
【請求項６】
前記減衰部は、
前記２つの交差側面のうち、一方の前記交差側面または当該交差側面の近傍に設けられる第１減衰部と、他方の前記交差側面または当該交差側面の近傍に設けられ、前記第１減衰部とは前記光の減衰量が異なる第２減衰部とを有し、
前記複数の光源は、
前記第１減衰部に近い側の前記間隔と前記第２減衰部に近い側の前記間隔とが異なる、
請求項２に記載の面状照明装置。
【請求項７】
前記複数の光源は、
前記光源の配列方向の中央付近において前記間隔が最も広く、
前記中央付近を境界にして、前記第１減衰部側への前記間隔の変化と前記第２減衰部側への前記間隔の変化とが非対称である、請求項６に記載の面状照明装置。
【請求項８】
前記複数の光源は、
配列方向における両端に設けられる２つの前記光源からそれぞれ対応する前記交差側面までの距離が異なる場合、前記距離が遠い一方の前記光源側の前記間隔を他方の前記光源側の前記間隔よりも狭くする、
請求項２に記載の面状照明装置。
【請求項９】
前記複数の光源は、
前記減衰部に近いほど前記間隔を狭くする、
請求項１〜８のいずれか１つに記載の面状照明装置。
【発明の詳細な説明】
【技術分野】
【０００１】
本発明は、面状照明装置に関する。
【背景技術】
【０００２】
従来、例えばＬＥＤ（Light  Emitting  Diode）等の複数の光源を導光板の側面に沿って一定間隔で並列する、いわゆるサイドライド式の面状照明装置が知られている。また、面状照明装置における導光板は、例えば、金型に樹脂材料を流し込んで成形する射出成形によって製造される。
【０００３】
射出成形によって製造された導光板は、金型の樹脂流入口に対応する突起部が切断されずに残される場合がある（例えば、特許文献１参照）。かかる突起部は、例えば、フレームに対する導光板の位置決め等に用いられる。
【先行技術文献】
【特許文献】
【０００４】
【特許文献１】特開２０１３−２４７０６５号公報
【発明の概要】
【発明が解決しようとする課題】
【０００５】
しかしながら、従来の技術のように、突起部がある導光板に対して一定間隔で複数の光源を配置した場合、光源の光の一部が突起部によって減衰されるおそれがあった。そのため、突起部周辺から出射される光の輝度が低下してしまうことで、輝度差が生じるおそれがあった。なお、このような光の減衰は、突起部以外にも、様々な要因で起こりうる。
【０００６】
本発明は、上記に鑑みてなされたものであって、輝度差を生じにくくすることができる面状照明装置を提供することを目的とする。
【課題を解決するための手段】
【０００７】
上述した課題を解決し、目的を達成するために、本発明の一態様に係る面状照明装置は、導光板と、減衰部と、複数の光源とを備える。前記導光板は、光が出射する主面である出射面と、前記出射面と交差する側面であって前記光が入射する入光側面とを有する。前記減衰部は、前記導光板に設けられ、前記入光側面から入射した前記光を減衰する。前記複数の光源は、前記導光板の前記入光側面に対向して所定の間隔で並列され、前記減衰部に近い側の前記間隔が前記減衰部から遠い側の前記間隔よりも狭い。
【発明の効果】
【０００８】
本発明の一態様によれば、輝度差を生じにくくすることができる面状照明装置を提供することができる。
【図面の簡単な説明】
【０００９】
【図１】図１は、実施形態に係る面状照明装置の上面図である。
【図２】図２は、実施形態に係る面状照明装置の断面図である。
【図３】図３は、隣り合う光源同士の間隔位置と間隔長との関係を示す図である。
【図４】図４は、変形例に係る面状照明装置の概略図である。
【図５】図５は、変形例に係る面状照明装置の概略図である。
【図６】図６は、変形例に係る面状照明装置の概略図である。
【図７】図７は、変形例に係る面状照明装置の概略図である。
【図８】図８は、変形例に係る面状照明装置の概略図である。
【図９】図９は、変形例に係る面状照明装置の概略図である。
【図１０】図１０は、変形例に係る間隔位置と間隔長との関係を示す図である。
【発明を実施するための形態】
【００１０】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１１】
まず、図１および図２を用いて、実施形態に係る面状照明装置の概要について説明する。図１は、実施形態に係る面状照明装置１の上面図である。図２は、実施形態に係る面状照明装置１の断面図である。なお、図１を含めた図面には、説明を分かりやすくするために、面状照明装置１の光の出射方向をＺ軸正方向とする３次元の直交座標系を図示している。また、図２では、図１のＡ−Ａ線で切断した場合の面状照明装置１の断面を示す。
【００１２】
実施形態に係る面状照明装置１は、例えば表示装置のバックライトとして用いられる。かかる表示装置は、例えば、自動車内に設置されるインジケータ等として用いられる。
【００１３】
図１および図２に示すように、実施形態に係る面状照明装置１は、フレーム１０と、導光板１１と、光学シート１２と、複数の光源１３と、基板１４と、固定部材１５と、連結部材１６と、遮光部１７とを備える。
【００１４】
フレーム１０は、例えば、金属や樹脂等の材料で構成される枠部材であり、導光板１１と、光学シート１２と、複数の光源１３と、基板１４と、固定部材１５と、連結部材１６とを収容する。
【００１５】
また、図２に示すように、フレーム１０は、側壁部１０ａと、底部１０ｂとを有する。側壁部１０ａは、内側面に後述の基板１４が固定される。底部１０ｂは、内側面が後述の導光板１１の主面１１ｃと対向する。
【００１６】
導光板１１は、例えばポリカーボネート樹脂等の透明材料で構成される平板状の部材である。例えば、導光板１１は、金型に樹脂材料を流し込んで成形する射出成形によって製造される。また、導光板１１は、側面１１ａと、２つの主面１１ｂ，１１ｃとを有する。
【００１７】
側面１１ａは、２つの主面１１ｂ，１１ｃと交差し、後述の光源１３の光が入射する側面（以下、入光側面１１ａと記載する）である。主面１１ｂは、入射された光が出射する主面（以下、出射面１１ｂと記載する）である。主面１１ｃは、出射面１１ｂとは反対側の主面（以下、反対面１１ｃと記載する）である。なお、導光板１１は、入光側面１１ａに向かって厚みが厚くなる楔状の部位を有してもよい。また、導光板１１は、反対面１１ｃにおいて、導光板１１から漏れた光を反射して、再度導光板１１に戻す反射シートが設けられてもよい。
【００１８】
また、図１に示すように、導光板１１には、例えば、ゲート部１００が形成される。ゲート部１００は、入光側面１１ａおよび出射面１１ｂそれぞれと交差する２つの側面１１ｄ，１１ｅ（以下、交差側面１１ｄ，１１ｅと記載する）のうち、Ｘ軸正方向側である一方側の交差側面１１ｄから突出する部位である。
【００１９】
ゲート部１００は、導光板１１の射出成形に用いられる金型において、樹脂材料を流し込む流込口に対応する部位である。ゲート部１００は、例えば、フレーム１０の図示しない凹部に嵌合されることで導光板１１の位置を固定する。なお、ゲート部１００は、他方の交差側面１１ｅのみに設けられてもよく、２つの交差側面１１ｄ，１１ｅ双方に設けられてもよい。あるいは、ゲート部１００は、入光側面１１ａとは反対側の導光板１１の側面に設けられてもよいが、かかる点については、図４で後述する。
【００２０】
また、図１では、ゲート部１００により輝度の影響を受ける影響領域５０を示しているが、かかる影響領域５０については後述する。
【００２１】
光学シート１２（積層部材の一例）は、導光板１１の出射面１１ｂ側に積層され、出射面１１ｂから出た光を制御する部材である。具体的には、光学シート１２は、光を拡散する拡散部材や、拡散された光の配光を制御するプリズム部材等を備える。
【００２２】
光源１３は、例えばＬＥＤ（Light  Emitting  Diode）であり、発光面１３ａが導光板１１の入光側面１１ａと対向する。光源１３は、発光面１３ａからＹ軸正方向側である入光側面１１ａ側へ向けて光を発する。また、図１に示すように、複数の光源１３は、導光板１１の入光側面１１ａに沿う向きであるＸ軸向きに所定の間隔で並列される。
【００２３】
また、光源１３は、発光面１３ａとは反対側の面が基板１４の実装面に固定される。すなわち、光源１３は、発光面１３ａと、基板１４の実装面とが略平行である、いわゆるトップビュー型の光源である。なお、光源１３は、トップビュー型の光源に限られず、発光面１３ａと実装面とが直交する、いわゆるサイドビュー型の光源であってもよい。
【００２４】
基板１４は、例えば、実装基板としてのＦＰＣ（Flexible  Printed  Circuits）であり、光源１３へ電力を供給する給電回路を有する。具体的には、基板１４は、所定の配線パターンが形成され、図示しない外部電源から供給される電力をかかる配線パターンを介して光源１３へ供給する。
【００２５】
固定部材１５は、例えば、両面テープであり、基板１４をフレーム１０に固定する部材である。具体的には、固定部材１５は、基板１４の実装面とは反対側の面をフレーム１０の側壁部１０ａに固定する。
【００２６】
連結部材１６は、導光板１１および光源１３を連結する。具体的には、連結部材１６は、フレーム１０における底部１０ｂの内側面に固定されるとともに、導光板１１の入光側面１１ａと光源１３の発光面１３ａとが当接するように連結する。
【００２７】
なお、導光板１１の入光側面１１ａと光源１３の発光面１３ａとは、必ずしも当接する必要はなく、入光側面１１ａと発光面１３ａとが一定の間隔を空けて配置されてもよい。
【００２８】
遮光部１７は、第１遮光部１７ａと、第２遮光部１７ｂとを備える。第１遮光部１７ａは、例えば遮光性を有する片面テープであり、光学シート１２における光の出射方向側であるＺ軸正方向側の主面の一部を覆うように一方の端部が延在し、他方の端部がフレーム１０における側壁部１０ａの外側面を沿うように延在する。第２遮光部１７ｂは、例えば遮光性を有する両面テープであり、Ｚ軸正方向側に積層される液晶表示装置と、面状照明装置１とを固定する。
【００２９】
ここで、従来の面状照明装置について説明する。従来の面状照明装置では、ゲート部が設けられる導光板に対して一定間隔で複数の光源が配置されていた。このように、複数の光源を一定間隔で配置した場合、光源の光の一部が交差側面に設けられたゲート部によって減衰されるおそれがあった。具体的には、複数の光源のうち、ゲート部に近い光源の光の一部は、交差側面に対して比較的浅い角度で入射するため、仮に、ゲート部が無ければ、光が交差側面でほとんど反射する。これに対し、ゲート部が存在する場合、光がゲート部に入り込むことで、入り込んだ光がゲート部から外部へ漏れ出やすくなり、ゲート部周辺（図１に示す影響領域５０）において輝度が低下するおそれがあった。このような光の減衰は、ゲート部以外にも、例えば、導光板に設けられる様々な部材によって引き起こされる。
【００３０】
そこで、実施形態に係る面状照明装置１は、光を減衰する部位であるゲート部１００（減衰部の一例）に近い側に配置される光源１３については間隔を密にすることとした。
【００３１】
具体的には、図１に示すように、実施形態に係る面状照明装置１において、光源１３は、ゲート部１００に近い側の間隔Ｄ２がゲート部１００から遠い側の間隔Ｄ１よりも狭くなるように配置される。これにより、ゲート部１００近傍、すなわち交差側面１１ｄ側の光の量が交差側面１１ｅ側よりも増えるため、ゲート部１００による光の減衰分を補うことができる。つまり、影響領域５０において輝度が低下することを防止できる。従って、実施形態に係る面状照明装置１によれば、ゲート部１００近傍における輝度の低下を抑えることができるため、輝度差を生じにくくすることができる。
【００３２】
なお、間隔Ｄ１および間隔Ｄ２の間にある他の間隔については、ゲート部１００に近づくにつれて徐々に狭くなることが好ましい。かかる点について図３を用いて説明する。
【００３３】
図３は、隣り合う光源１３同士の間隔位置と間隔長との関係を示す図である。図３のグラフでは、横軸に間隔位置を示し、縦軸に間隔長を示す。また、図３の横軸において、「Ｄ１」は、図１に示すＸ軸負方向側である左端の間隔Ｄ１を示し、「Ｄ２」は、図１に示すＸ軸正方向側である右端の間隔Ｄ２を示している。また、図３のグラフは、導光板１１のＸ軸正方向側である右端側の交差側面１１ｄにゲート部１００が設けられる場合の各間隔を示すグラフである。また、図３では、参考として、従来の一定間隔で光源を配列する場合のグラフを破線で示す。
【００３４】
図３に示すように、各間隔は、左端（間隔Ｄ１）から右端（間隔Ｄ２）に向かうほど狭くする。つまり、光源１３は、ゲート部１００（減衰部）に近いほど間隔が狭くなるように配置する。換言すれば、光源１３は、ゲート部１００に向かって、連続的に間隔を変化させる。このように、間隔を連続的に変化させることで、導光板１１の出射面１１ｂ全体における輝度の均一性を高めることができる。
【００３５】
さらに、図３に示すように、実線で表された本実施形態を示すグラフは、破線で表された従来を示すグラフと交差している。つまり、実施形態に係る光源１３は、図３に示すグラフの交点を境にして、ゲート部１００に近づくほど従来よりも間隔を密にし、一方でゲート部１００から遠ざかるほど従来よりも間隔を疎にする。これにより、光源１３の数を従来よりも増やす必要がないため、製品コストを上げることなく輝度差を生じにくくすることができる。
【００３６】
なお、図３では、直線状のグラフになるように間隔を変化させたが、例えば、階段状のグラフになるように段階的に間隔を変化させてもよい。また、図３では、左端（間隔Ｄ１）から右端（間隔Ｄ２）に向かって直線状のグラフで表したが、例えば、曲線状のグラフでもよく、あるいは、左端および右端の間にあるいずれかの間隔位置で折れ曲がるグラフでもよい。
【００３７】
なお、上述した実施形態では、ゲート部１００が交差側面１１ｄに設けられる場合について説明したが、ゲート部１００が導光板１１の入光側面１１ａとは反対側の側面に設けられてもよい。かかる点について、図４を用いて説明する。
【００３８】
図４は、変形例に係る面状照明装置１の概略図である。図４では、見易さの観点から導光板１１および光源１３のみを示している。図４に示す変形例は、ゲート部１００（突出部の一例）が導光板１１の入光側面１１ａとは反対側の側面である反対面１１ｆ（反対面１１ｆａ）の一部から突出する点で、上述した実施形態と異なる。
【００３９】
ここで、仮に、反対面１１ｆにゲート部１００が無い（つまり、反対面１１ｆが平滑面）場合、光源１３が発する光が反対面１１ｆに対して垂直に近い角度で入射することで導光板１１の外部へ漏れ出やすくなる。
【００４０】
これに対して、図４に示すように、反対面１１ｆａにゲート部１００が有る（つまり、反対面１１ｆａが粗面）場合、光源１３が発する光がゲート部１００の反対面１１ｆａに対して垂直に近い角度で入射したとしても乱反射により導光板１１の外部へ漏れ出にくくなり、導光板１１内に戻りやすくなる。なお、反対面１１ｆａ以外の反対面１１ｆｂでは、垂直に近い角度で入射した場合、導光板１１の外部へ漏れ出やすくなる。
【００４１】
その結果、ゲート部１００の反対面１１ｆａ近傍の輝度が反対面１１ｆｂ近傍の輝度よりも高くなる。すなわち、突出部であるゲート部１００が設けられる反対面１１ｆａは、光を反射する反射部として機能し、反対面１１ｆａ以外の反対面１１ｆｂは、光を減衰する減衰部として機能する。このため、反対面１１ｆｂ近傍において影響領域５０が形成される。
【００４２】
このため、変形例に係る光源１３は、ゲート部１００の反対面１１ｆａに近い側の間隔Ｄ３を疎にし、ゲート部１００以外の反対面１１ｆｂに近い側の間隔Ｄ４，Ｄ５を密にする。これにより、ゲート部１００の反対面１１ｆａ近傍における輝度が過度に高くなることを防止しつつ、ゲート部１００以外の反対面１１ｆｂ近傍における輝度を向上させることができる。すなわち、ゲート部１００が反対面１１ｆａに設けられる場合であっても、輝度差が生じることを防止できる。
【００４３】
さらに、図４に示すように、間隔Ｄ３および間隔Ｄ４の間に位置する間隔Ｄ５は、Ｘ軸負方向側の一方端の間隔Ｄ４よりも広くする。つまり、間隔Ｄ４から間隔Ｄ３に向かって
間隔を徐々に広くする。
【００４４】
これにより、間隔Ｄ４に対応する光源１３の光の一部が導光板１１の交差側面１１ｅから漏れ出ることによる減衰分を補うことができるため、輝度の均一性をさらに高めることができる。
【００４５】
また、上記した実施形態および変形例では、導光板１１にゲート部１００が設けられることで光が減衰する場合を示したが、光の減衰はゲート部１００以外にも起こりうる。ここで、図５〜図１０を用いて、ゲート部１００以外により光が減衰する場合について説明する。
【００４６】
図５〜図９は、変形例に係る面状照明装置１の概略図である。図１０は、変形例に係る間隔位置と間隔長との関係を示す図である。まず、図５に示す変形例について説明する。
【００４７】
図５に示す変形例は、ゲート部１００が無く、導光板１１の出射面１１ｂに固定部材１８が設けられる点で、上述した実施形態や変形例とは異なる。固定部材１８は、例えば、両面テープであり、光学シート１２と導光板１１と固定する。
【００４８】
具体的には、固定部材１８は、導光板１１の短辺側である交差側面１１ｄ側の出射面１１ｂに設けられる。より具体的には、固定部材１８は、導光板１１の出射面１１ｂが削られた凹部に埋め込んで配置され、出射面１１ｂから飛び出ないように配置される。
【００４９】
これにより、固定部材１８は、導光板１１の出射面１１ｂと光学シート１２とが当接した状態で固定することを可能にする。なお、固定部材１８は、必ずしも導光板１１を削った凹部に設ける必要はなく、例えば、削っていない状態の導光板１１に固定部材１８を設けてもよい。
【００５０】
図５に示すように、導光板１１に固定部材１８が設けられる場合、光源１３の光の一部は、固定部材１８によって吸収されることとなる。つまり、固定部材１８は、光を減衰する減衰部となり、固定部材１８近傍において影響領域５０が形成され、輝度を低下させるおそれがある。
【００５１】
そのため、図５に示す変形例では、固定部材１８に近い側の光源１３同士の間隔Ｄ６を固定部材１８から遠い側の光源１３同士の間隔Ｄ７よりも狭くする。これにより、固定部材１８近傍における光の量を増やすことができるため、固定部材１８による光の減衰分を補うことができる。従って、変形例に係る面状照明装置１によれば、固定部材１８が交差側面１１ｄ近辺に設けられた場合であっても、輝度差を生じにくくすることができる。
【００５２】
なお、図５に示す例では、固定部材１８は、交差側面１１ｄ側にのみ設けられる場合を示したが、無論、固定部材１８が交差側面１１ｄおよび交差側面１１ｅ双方に設けられてもよい。
【００５３】
また、図５では、導光板１１の出射面１１ｂに設けられた固定部材１８が減衰部となる場合を示したが、これに限定されず、例えば、図６に示すように、導光板１１の側面に設けられる付勢部材１９が減衰部となる場合もある。かかる点について、図６を用いて説明する。
【００５４】
図６では、付勢部材１９が導光板１１の反対面１１ｆ側に設けられる場合を一例に挙げて説明する。付勢部材１９は、例えば、ゴム部材等の弾性部材によって構成される。図６に示すように、反対面１１ｆ側に設けられた付勢部材１９は、フレーム１０と導光板１１とに挟まれた状態で固定される。このような状態で固定された付勢部材１９は、反対面１１ｆを押すことで、導光板１１を光源１３側へ付勢する。
【００５５】
かかる場合、光源１３の光の一部は、付勢部材１９によって吸収される。つまり、付勢部材１９は、減衰部として機能することとなり、付勢部材１９近傍において影響領域５０が形成され、輝度が低下することとなる。
【００５６】
そのため、図６に示す変形例では、付勢部材１９に近い側の光源１３同士の間隔Ｄ８を付勢部材１９から遠い側の光源１３同士の間隔Ｄ９よりも狭くする。これにより、付勢部材１９近傍における光の量を増やすことができるため、付勢部材１９による光の減衰分を補うことができる。従って、変形例に係る面状照明装置１によれば、付勢部材１９が反対面１１ｆ近辺に設けられた場合であっても、輝度差を生じにくくすることができる。
【００５７】
上記した実施形態や変形例では、複数の光源１３は、入光側面１１ａの両端部全体にわたって設けられたが、例えば、なんからの要因で、入光側面１１ａの両端部のうち、いずれか一端側に光源１３を配置できない場合がある。かかる点について、図７を用いて説明する。
【００５８】
図７には、例えば、基板１４に設けられるサーミスタ２０を示している。図７では、サーミスタ２０は、光源１３の配列方向であるＸ軸方向の一端（例えば、Ｘ軸正方向側）に設けられる。
【００５９】
このように、サーミスタ２０が一端に設けられることで、複数の光源１３は、他端側（Ｘ軸負方向側）に寄ることとなる。その結果、サーミスタ２０に最も近い光源１３は、導光板１１の交差側面１１ｄから離れることとなるため、交差側面１１ｄ近傍において影響領域５０が形成され、輝度が低下することとなる。つまり、サーミスタ２０は、間接的に光を減衰する減衰部となる。
【００６０】
そのため、図７に示す変形例では、サーミスタ２０に近い側の光源１３同士の間隔Ｄ１０をサーミスタ２０から遠い側の光源１３同士の間隔Ｄ１１よりも狭くする。換言すれば、複数の光源１３は、配列方向における両端に設けられる２つの光源１３からそれぞれ対応する交差側面（左端の光源１３は交差側面１１ｅ、右端の光源１３は交差側面１１ｄ）までの距離が異なる場合、距離が遠い一方の光源１３側の間隔１０を他方の光源１３側の間隔Ｄ１１よりも狭くする。これにより、サーミスタ２０側である交差側面１１ｄ側における光の量を増やすことができるため、サーミスタ２０による光の減衰分を補うことができる。従って、変形例に係る面状照明装置１によれば、サーミスタ２０の存在により複数の光源１３を片寄せする場合であっても、輝度差を生じにくくすることができる。
【００６１】
なお、図７では、サーミスタ２０を一例として挙げたが、これに限定されるものではなく、光源１３の配置を阻害する要因であればよく、基板１４に設けられる他の部材であってもよく、基板１４以外の部材に設けられる他の部材であってもよい。
【００６２】
あるいは、サーミスタ２０のような部材が無くても、例えば、周辺の部材が熱膨張等により光源１３を圧迫するために、入光側面１１ａの端部に光源１３を配置できない場合であってもよい。
【００６３】
次に、図８を用いて、導光板１１における有効発光範囲Ｒが非対称に規定されている場合について説明する。有効発光範囲Ｒとは、出射面１１ｂから出射された光が実際にバックライトとして使用される範囲であり、換言すれば、出射面１１ｂのうち遮光されない範囲である。
【００６４】
ここで、有効発光範囲Ｒは、導光板１１において左右非対称に規定される場合がある。例えば、図８に示すように、有効発光範囲Ｒは、光源１３の配列方向において一方の交差側面１１ｅ側に寄って規定される場合がある。
【００６５】
かかる場合、交差側面１１ｅから有効発光範囲Ｒまでの距離Ｗ１が交差側面１１ｄから有効発光範囲Ｒまでの距離Ｗ２よりも短くなる。換言すれば、交差側面１１ｄ側の遮光された領域である遮光領域ＢＲ２が交差側面１１ｅ側の遮光領域ＢＲ１よりも領域の面積が広くなる。その結果、また、複数の光源１３は、有効発光範囲Ｒの位置に合わせて配置されるため、導光板１１に対して交差側面１１ｅに寄せて配置されることとなる。
【００６６】
その結果、光源１３は、交差側面１１ｅ側に近づき、交差側面１１ｄ側から離れることになるため、交差側面１１ｄ近傍において影響領域５０が形成され、輝度が低下することとなる。つまり、非対称に規定された有効発光範囲Ｒによって、遮光領域ＢＲ１よりも領域面積が大きくなった遮光領域ＢＲ２が減衰部となる。
【００６７】
そのため、図８に示す変形例では、遮光領域ＢＲ１よりも領域面積が大きい遮光領域ＢＲ２に近い側の光源１３同士の間隔Ｄ１２を遮光領域ＢＲ２から遠い側の光源１３同士の間隔Ｄ１３よりも狭くする。これにより、遮光領域ＢＲ２における光の量を増やすことができるため、遮光領域ＢＲ２における光の減衰分を補うことができる。従って、変形例に係る面状照明装置１によれば、有効発光範囲Ｒが非対称に規定されることで遮光領域ＢＲ２が広げられた場合であっても、輝度差を生じにくくすることができる。
【００６８】
次に、図９および図１０を用いて、導光板１１の２つの交差側面１１ｄ，１１ｅそれぞれに減衰部が設けられる場合について説明する。図９および図１０では、導光板１１の交差側面１１ｄの近傍に固定部材１８（第２減衰部の一例）が設けられ、交差側面１１ｅに付勢部材１９（第１減衰部の一例）が設けられる場合について説明する。
【００６９】
なお、固定部材１８についてはすでに上述したため説明を省略する。付勢部材１９は、フレーム１０の側壁部１０ａと導光板１１の交差側面１１ｅとの間に介在して設けられ、導光板１１をＸ軸正方向側である交差側面１１ｄ側へ付勢する。これにより、導光板１１は、交差側面１１ｄが対向する側壁部１０ａに当接した状態で固定される。このとき、固定部材１８周辺および付勢部材１９周辺に影響領域５０が形成され、輝度が低下するおそれがあった。
【００７０】
そのため、固定部材１８側である交差側面１１ｄに近い側の光源１３同士の間隔Ｄ１４を、Ｘ軸方向である配列方向の中央付近における光源１３同士の間隔Ｄ１６よりも狭くする。これにより、固定部材１８によって吸収された光の減衰分を補えるため、交差側面１１ｄ近傍の輝度が出射面１１ｂの中央領域の輝度よりも低下することを防止できる。
【００７１】
さらに、付勢部材１９側である交差側面１１ｅに近い側の光源１３同士の間隔Ｄ１５を、間隔Ｄ１６よりも狭くする。これにより、付勢部材１９による吸収分と、側壁部１０ａおよび交差側面１１ｅの間の空間に漏れ出た光の減衰分を補えるため、交差側面１１ｅ近傍の輝度が出射面１１ｂの中央領域の輝度よりも低下することを防止できる。
【００７２】
さらに、図９および図１０に示すように、固定部材１８側の間隔Ｄ１４を、付勢部材１９側の間隔Ｄ１５よりも狭くする。つまり、固定部材１８に近い側の間隔Ｄ１４と付勢部材１９に近い側の間隔Ｄ１５とが異なるようにする。これは、固定部材１８と付勢部材１９との光の減衰量が異なることに起因する。図９に示す例では、固定部材１８のほうが付勢部材１９よりも光の減衰量が多いことを示している。このように、導光板１１の両端に減衰部が設けられる場合に、各減衰部に応じて間隔を異ならせることで、より輝度差を生じにくくすることができる。
【００７３】
さらに、複数の光源１３は、図１０に示すグラフのように、配列方向の中央付近（例えば、間隔Ｄ１６）において間隔が最も広く、かかる中央付近を境界にして左側の間隔Ｄ１５（すなわち、第１減衰部側）への変化と右側の間隔Ｄ１４（すなわち、第２減衰部側）への変化とが非対称となるように間隔を変化させる。これにより、固定部材１８側と付勢部材１９側とで輝度差を生じにくくすることができる。
【００７４】
なお、図９および図１０に示す変形例は一例であって、これに限定されず、例えば、固定部材１８のほうが付勢部材１９よりも光の減衰量が少ない場合には、付勢部材１９側の間隔を、固定部材１８側の間隔よりも狭くする。
【００７５】
また、図９および図１０では、第１減衰部（付勢部材１９）と第２減衰部（固定部材１８）とが異なる機能を有する場合について説明したが、これに限定されず、第１減衰部と第２減衰部が同じ機能であってもよく、双方の減衰量が異なればよい。例えば、第１減衰部および第２減衰部が同じ機能の場合、第１減衰部および第２減衰部の長さ、重量、数量、配置等が異なればよい。
【００７６】
上述したように、実施形態に係る面状照明装置１は、導光板１１と、減衰部と、複数の光源１３とを備える。導光板１１は、光が出射する主面である出射面１１ｂと、出射面１１ｂと交差する側面であって光が入射する入光側面１１ａとを有する。減衰部は、入光側面１１ａから入射した光を減衰する。複数の光源１３は、導光板１１の入光側面１１ａに対向して所定の間隔で並列され、減衰部に近い側の間隔が減衰部から遠い側の間隔よりも狭い。これにより、減衰部による光の減衰分を補うことができるため、輝度の低下が抑えられ、輝度差を生じにくくすることができる。
【００７７】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７８】
１    面状照明装置
１０    フレーム
１１    導光板
１１ａ  入光側面
１１ｂ  出射面
１１ｃ  反対面
１１ｄ，１１ｅ  交差側面
１２    光学シート
１３    光源
１３ａ  発光面
１４    基板
１５，１８    固定部材
１６    連結部材
１７    遮光部
１９    付勢部材
１００    ゲート部
【図１】
2019096394.tif 000003
【図２】
2019096394.tif 000004
【図３】
2019096394.tif 000005
【図４】
2019096394.tif 000006
【図５】
2019096394.tif 000007
【図６】
2019096394.tif 000008
【図７】
2019096394.tif 000009
【図８】
2019096394.tif 000010
【図９】
2019096394.tif 000011
【図１０】
2019096394.tif 000012